(57)【特許請求の範囲】
【請求項１】
壁、天井等の被取付面に一部を固定挿入する挿入部と、前記被取付面から露出した部分で物品を掛止する掛止部とから成る掛け具であって、
前記挿入部は、前記被取付面に挿入可能な１対の尖形状の先端部を有し、前記掛止部と一体で、弾性変形可能な前記１対の先端部を開放端とするＣ字状体を成し、
前記１対の先端部の形状を維持しつつ、段差が生じないように着脱自在に外嵌し、前記Ｃ字状体をＵ字状体に弾性変形させるＵ字状の挟掴部を有し、
前記挟掴部を外嵌させた挿入部を前記先端部から被取付面に挿入し、前記挟掴部を抜脱すると、前記Ｃ字状体に復元し、前記挟掴部の抜脱後に形成された被取付面内部の挿入空間において、復元されたＣ字状体を成す弧状の挿入部の頂部が前記挿入空間の内壁に当接することによって前記固定挿入されることを特徴とする掛け具。
【請求項２】
前記挿入部は、所定の曲率で湾曲形成された１対の弧状体を径方向で対向配置させた弾性変形可能な部材で形成され、前記掛止部は、所定の曲率で弧状に湾曲形成され、前記対向配置された１対の弧状体の他端側に介在して連接する弾性変形可能な部材で形成され、前記挿入部と前記掛止部とで一体となって前記Ｃ字状体を成し、
前記挟掴部は、前記挿入部の曲率を低減させる方向に弾性変形させて、前記先端部を被取付面の挿入面に相対する方向に起立させるとともに、前記掛止部の曲率を増大させる方向に弾性変形させることを特徴とする請求項１記載の掛け具。
【請求項３】
前記挟掴部は、前記固定挿入されている掛け具に対して、前記挿入空間に挿入して外嵌した状態で被取付面から挿入部を抜き出すことができることを特徴とする請求項１又は請求項２記載の掛け具。
【請求項４】
前記先端部は、前記先端部を頂点として、挿入部長手方向の掛止部側に向かって漸次前記弧状体の径方向外側に張出傾斜した斜辺と、所定の位置で前記斜辺を屈曲させ、前記弧状体の径方向に向かって形成された底辺とから成る三角形の返し部を有し、前記挟掴部は、前記底辺によって形成された段部に外嵌され、前記斜辺から連続して段差のない面一の平滑面を形成することを特徴とする請求項２記載の掛け具。
【請求項５】
前記挿入部を構成する弧状体の曲率よりも、前記掛止部の曲率が大きいことを特徴とする請求項１から請求項４までのいずれか１項に記載の掛け具。
【請求項６】
前記掛止部の頂部から径方向内側に向かって掛止部の短手幅で凹陥部を設けたことを特徴とする請求項２から請求項４までのいずれか１項に記載の掛け具。
【請求項７】
前記挟掴部は、前記掛止部を外嵌する部分に飛び移り座屈部材を備えた押入部を有し、前記押入部の反転力で前記挿入部を被取付面に付勢挿入することを特徴とする請求項１から請求項５までのいずれか１項に記載の掛け具。
【請求項８】
前記押入部は、掛止部の短手幅に、掛止部の一部を固定嵌入する溝部を有し、前記付勢挿入は、前記溝部に嵌入した状態で行うことを特徴とする請求項７記載の掛け具。
【請求項９】
前記押入部の長手方向両端に前記飛び移り座屈部材を前記付勢挿入する反転方向に押上げる棒状の押上部を設け、前記押入部は、押上部の棒状の部材を摺動収納可能な中空部を有していることを特徴とする請求項７又は請求項８記載の掛け具。  
【発明の詳細な説明】
【技術分野】
【０００１】
本発明は、壁、天井等の被取付面に物品を掛けるための掛け具に関し、特に、壁、被取付面に一部を固定挿入し、露出部分で物品を掛ける掛け具に関するものである。
【背景技術】
【０００２】
従来から、壁、天井等の被取付面に固定して、物品を吊下げたり、引っ掛けたりするフック、吊り具等、種々の掛け具が提案されている。特に、被取付面への固定方法としては、取付面の材質、用途に応じて貼設、打設、螺設等様々な方法が採用されているが、固定強度の観点から打設、螺設に比べて貼設は脆弱である一方、前記被取付面の損傷（壁穴の損傷）及び取付けの容易性の観点から、螺設は打設よりも劣る。そこで、打設式の掛け具について、固定強度と被取付面の損傷の軽減及び取付けの容易性という、両立が難しい要求を満たすために、様々な提案がなされてきた。
【０００３】
この種の掛け具としては、例えば、鉤部と柄部から成り、柄部に設けた釘穴を介して取付け面に打ち込む吊下フックにおいて、前記釘は、１本の丸棒状線材を折り曲げて先拡がりに離間させ、脚部を二股状に形成したものであり、かかる各脚部がそれぞれ挿通される対の釘穴を柄部に配置し、両脚部の先端間隔が狭まるように撓ませてから前記釘穴で保持し、両脚部の取付け面への打ち込みに伴い、弾性による復元力を作用させて、取付け面からの抜け止めを可能とするものが提案されていた（例えば、特許文献１参照。）。この構成によれば、前記復元力の作用により、取付け状態で抜ける方向の反発力の発生が防止され、取付け面からの抜け止めがなされるとともに、取付け面の損傷も釘２脚分の穴に止まり、最小限に抑えることができる。
【０００４】
また、ワイヤなどの長形要素を含む弧状に形成された湾曲部を備えた中空壁用の掛け具であって、掛け具を前記湾曲部の形状によって与えられる上向きの弓形通路に沿って回転させながら湾曲部の先端を壁に挿入するとともに、フック部の背面に設けられた壁面に対して垂直に穿刺されるスパイクで固定するものが提案されていた（例えば、特許文献２参照）。この構成によれば、荷重がスパイクのほか、湾曲部にもかかることによって分散され、補強される。  
【先行技術文献】
【特許文献】
【０００５】
【特許文献１】特開２００７−１６２８４１号公報
【特許文献２】特表２０１２−５０９０９３号公報
【発明の概要】
【発明が解決しようとする課題】
【０００６】
しかしながら、前記特許文献１にかかる先行技術では、抜け止めの作用を復元力に依存し、脚部自体は、挿入孔に対して直線的に打ち込まれているため、構造的に抜け止め力、すなわち、荷重に対する抵抗力が弱い可能性があった。また、取付けは、釘打ちであるため、釘打ちに不慣れな場合には、釘打ち前の位置決め通りに打ち付けることができず、ずれが生じるおそれがあった。さらに、取付け前に、釘の両脚部の先端間隔が狭まるように撓ませてから、釘穴で保持させる工程を要し、作業が煩雑になるうえ、女性、子供、老人など撓ませる力が不足すると、かかる釘打ち前の行程段階で、作業が滞るという不都合があった。なお、例えば、掛け具の老朽化による取り替えに際し、取り付け場所が極めて限定される場合、一度穿孔した釘穴に再度取り付ける必要があるが、先に取り付けた釘穴は、前記の通り、直線的に打ち込まれているため、二度目の打ち込みの際、釘穴が拡径するおそれがあり、抜け落ちの可能性が高くなるという不具合もあった。
【０００７】
一方、前記特許文献２にかかる先行技術では、前記した通り、湾曲していることで抜け止めに一定の効果は認められるものの、湾曲部１本では、フックの部分が固定されず、壁面上を回転するおそれがあるため、別途、スパイクで固定することになり、取付けが煩雑であるという不都合があった。また、湾曲部自体も、回転させながら壁に挿入する必要があったため、螺設に近似したプロセスを要し、挿入作業が面倒であるという問題があった。
【０００８】
加えて、前記特許文献１及び２は、いずれも、取付け時及び掛け具としての使用時に関する課題を解決するための手段については、提示されているものの、取り外し時の作業については何ら考慮されていない。一般に、抜け止めを優先課題とした場合、構造的に取り外しは困難になる。
【０００９】
本発明は、上記課題を解消させるためのものであり、抜け止めによる固定強度が高く、被取付面の損傷を最小限に止め、取付け及び取り外しが容易な掛け具を提供することを目的とする。
【課題を解決するための手段】
【００１０】
上記目的を達成させるために、本発明にかかる掛け具は、取付け前の自由状態で弾性変形可能なＣ字状体を成し、取付け時に、前記Ｃ字状体にＵ字状体の取付け具を外嵌し、Ｃ字状体を弾性変形させてＵ字状体とし、これを被取付面に挿入した後、前記Ｕ字状体を抜き取ることにより、被取付面の挿入空間において前記Ｃ字状体を復元して挿入空間に当接させ、抜け止め防止になるようにするとともに、これを取り外すときは、前記挿入空間に前記Ｕ字状体を挿入し、挿入空間内のＣ字状体を再びＵ字状に弾性変形させ、そのまま抜くことを可能とする掛け具を提供する。
【００１１】
すなわち、壁、天井等の被取付面に一部を固定挿入する挿入部と、前記被取付面から露出した部分で物品を掛止する掛止部とから成る掛け具であって、
前記挿入部は、前記被取付面に挿入可能な１対の尖形状の先端部を有し、前記掛止部と一体で、弾性変形可能な前記１対の先端部を開放端とするＣ字状体を成し、
前記１対の先端部の形状を維持しつつ、段差が生じないように着脱自在に外嵌し、前記Ｃ字状体をＵ字状体に弾性変形させるＵ字状の挟掴部を有し、
前記挟掴部を外嵌させた挿入部を前記先端部から被取付面に挿入し、前記挟掴部を抜脱すると、前記Ｃ字状体に復元し、前記挟掴部の抜脱後に形成された被取付面内部の挿入空間において、復元されたＣ字状体を成す弧状の挿入部の頂部が前記挿入空間の内壁に当接することによって前記固定挿入されることを
最も主要な特徴とする。
【００１２】
前記Ｃ字状体は、前記挿入部を、所定の曲率で湾曲形成された１対の弧状体を径方向で対向配置させた弾性変形可能な部材で形成し、前記掛止部を、所定の曲率で弧状に湾曲形成され、前記対向配置された１対の弧状体の他端側に介在して連接する弾性変形可能な部材で形成したものとしてもよい。この場合、  前記挟掴部は、前記挿入部の曲率を低減させる方向に弾性変形させて、前記先端部を被取付面の挿入面に相対する方向に起立させるとともに、前記掛止部の曲率を増大させる方向に弾性変形させる。
【００１３】
また、前記挟掴部は、前記固定挿入されている掛け具に対して、前記挿入空間に挿入して外嵌した状態で被取付面から挿入部を抜き出すこともできる。
【００１４】
以上の構成によれば、１対（２本）の挿入部を一時に挿入することができ、挿入後に挟掴部のみを抜脱すると、挿入空間において挿入部が復元することにより、挿入空間に当接し、固定挿入されるとともに、前記挟掴部を挿入空間に挿入することにより、抜き出しも容易にできる。
【００１５】
さらに、前記弧状体の先端部に返し部を設けてもよい。すなわち、前記先端部は、前記先端部を頂点として、挿入部長手方向の掛止部側に向かって漸次前記弧状体の径方向外側に張出傾斜した斜辺と、所定の位置で前記斜辺を屈曲させ、前記弧状体の径方向に向かって形成された底辺とから成る三角形の返し部を有し、前記挟掴部は、前記底辺によって形成された段部に外嵌され、前記斜辺から連続して段差のない面一の平滑面を形成してもよい。このような構成にすることにより、前記挟掴部の抜脱後、前記挿入空間で弧状体の頂部のみならず、返し部も内部空間に当接し、少なくとも、４点で固定されるため、より強固に、固定挿入することが可能になる。
【００１６】
なお、前記挿入部を構成する弧状体の曲率よりも、前記掛止部の曲率を大きくしてもよい。この構成により、Ｃ字状体からＵ字状体への弾性変形が容易になる。
【００１７】
本発明に係る掛け具は、取付面から露出する掛止部の形状が、環状になっているため、例えば、取付面が壁の場合、壁面と前記環状の掛止部とで形成される内部空間が、床面に対して、水平、垂直のいずれの取付方向でも掛止可能であり、一部が開放されているいわゆるフックに比べて、取付の自由度が高い。さらに、抜け止めの強度を上げるためには、前記水平又は垂直に取り付けた掛止部の上に、前記十字状に交差するように、先に取り付けた方向とは異なる方向で重畳的に取り付けても良い。この場合、後に取り付けた方の掛止部は、先行の掛止部の厚み分だけ、壁面から挿入部が浮上する。そこで、かかる取付方法の場合にも、前記浮上する不具合を解消させるために、前記掛止部の頂部から径方向内側に向かって掛止部の短手幅で凹陥部を設ければよい。
【００１８】
前記挟掴部は、前記掛止部を外嵌する部分に飛び移り座屈部材を備えた押入部を有し、前記押入部の反転力で前記挿入部を被取付面に付勢挿入するようにしてもよい。この構成により、本発明にかかる掛け具の２つの挿入部を瞬発的かつ同時に取付面に挿入することができる。
【００１９】
前記押入部で挿入する際に、掛け具を固定するために、前記押入部に、掛止部の短手幅に、掛止部の一部を固定嵌入する溝部を設け、前記付勢挿入は、前記溝部に嵌入した状態で行うようにすればよい。
【００２０】
また、前記前記付勢挿入をより簡易にするために、押入部の長手方向両端に前記飛び移り座屈部材を前記付勢挿入する反転方向に押上げる棒状の押上部を設けてもよい。なお、前記押入部は、押上部の棒状の部材を摺動収納可能な中空部を設け、押上部を使用しない場合は、これを収納するようにしてもよい。
【発明の効果】
【００２１】
本発明に係る掛け具は、弾性変形する湾曲した２本の挿入部によって、抜け止めによる固定強度が高くなるとともに、被取付面の損傷を最小限に止め、取付け及び取り外しが容易になるという効果を奏する。
【００２２】
挿入部は、挿入時には、挟掴部によって、被取付面に対して、比較的ストレートな挿入空間を形成して進行するが、挟掴部を取り外すと、Ｕ字状に弾性変形されていた規制が解かれ、復元力によって再び自由状態のＣ字状に戻ろうとするため、前記挿入空間に当接して固定されるうえ、これを２本で固定する構成になっているため、従来にない強固な抜け止め効果を奏する。さらに、先端に返し部を設けることで２本の挿入部各々が、少なくとも２点の固定箇所（合計で４点の固定箇所）を有するため、抜け止効果はさらに強固になる。
【００２３】
また、上記２本の挿入部によって、１本当たりの挿入部の断面積は細くても、前記の通り強固な抜け止め効果が期待できるため、被取付面の損傷（形成される挿入孔）も小さくて済み、修復も容易になるという効果を奏する。
【００２４】
さらに、挿抜時双方で、挟掴部を使用することにより、挿入、抜脱に無用な力を要せず、取付のために道具も不要になるうえ、押入部に飛び移り座屈部材を利用することで、瞬間的な取付が可能になるという効果を奏する。
【図面の簡単な説明】
【００２５】
【図１】図１は、本発明に係る掛け具の上面図であり、（ａ）は、挟掴部の外嵌前の状態を示した図、（ｂ）は、挟掴部の外嵌後の状態を示した図である。
【図２】図２は、本発明かかる掛け具を壁面に取り付けた状態の挿入空間内を示した図であり、（ａ）は、挟掴部が外嵌された状態を示した図、（ｂ）は、挟掴部が抜脱された状態を示した図である。
【図３】図３は、本発明に係る掛け具の先端に返し部を設けた例を示した上面図であり、（ａ）は、挟掴部の外嵌前の状態を示した図、（ｂ）は、挟掴部の外嵌後の状態を示した図である。
【図４】図４は、本発明に係る掛け具の先端に返し部を設けた場合の壁面に取り付けた状態の挿入空間内を示した図であり、（ａ）は、挟掴部が外嵌された状態を示した図、（ｂ）は、挟掴部が抜脱された状態を示した図である。
【図５】図５は、本発明に係る掛け具を十字状にして重畳的に壁面に取り付けた状態を示した図であり、（ａ）は、壁面に取り付けた状態の正面図であり、（ｂ）は、壁面に取り付けた状態の側面図である。
【図６】図６は、本発明に係る掛け具の挟掴部の押入部を示した図であり、（ａ）は、反転前の押入部の状態を示した図、（ｂ）は、反転後の押入部の状態を示した図である。
【図７】図７は、本発明に係る掛け具の挟掴部の押入部に設けた掛止部の溝部を示す図であり、（ａ）は、溝部を有する掛け具の上面図、（ｂ）は、掛止部を固定嵌入した場合の側断面図である。
【図８】図８は、本発明に係る掛け具の挟掴部の飛び移り座屈部材を押し上げる押上部を示した図であり、（ａ）は、押上部で押し上げる前の状態を示した図、（ｂ）は、押上部で押し上げた後の状態を示した図である。
【発明を実施するための形態】
【００２６】
図１を参照して、１は、本発明に係る掛け具本体であり、２は、掛け具本体１に外嵌し、掛け具本体１を壁、天井等の一定以上の厚みと硬さを有する被取付面に取り付ける際の補助をする挟掴部である。すなわち、本発明に係る掛け具は、掛け具本体１と挟掴部２とから構成される。図１（ａ）は、挟掴部２の外嵌前の状態を示した図であり、（ｂ）は、挟掴部２の外嵌後の状態を示した図である。
【００２７】
掛け具本体１は、前記被取付面に挿入する挿入部１２と、挿入部１２の挿入後、被取付面から露出させ、例えば、ハンガーのフックを引っ掛ける等して、物を掛止する掛止部１１を有している。挿入部１２と掛止部１１とは、図１（ａ）で示す通り、前記被取付面に取り付ける前の自由状態では、全体でＣ字状体に形成されている。すなわち、尖形状に形成された先端部１２ａを有する１対の弧状体を径方向側１２ｂで、先端部１２ａを所定間隔で離間させて対向させた挿入部１２と、先端部１２ａと反対側の他端を前記弧状体と略同一曲率で形成された弧状体から成る掛止部１１で連接させ、前記離間させた２つの先端部１２ａが開放端側となるＣ字状体を形成する。前記挿入部１２、掛止部１１を形成する各弧状体は、いずれも、弾性変形可能な素材であればよく、特定の素材に限定しないが、例えば、挿入部１２をクロムモリブデン鋼、掛止部１１を繊維強化プラスチックなどで形成すればよい。
【００２８】
なお、挿入部１２と掛止部１１とは、別体を連接させたものに限定するものではなく、一体成形したものであってもよい。また、本発明において、Ｃ字状体とは、本発明に係る機能を発揮し、本発明の主旨から逸脱するものでない限り、前記条件を満たすすべての形状を包含する。従って、正確にＣ字状を成さない形状、すなわち、前記各弧状体の湾曲の度合いによっては、例えば、コの字状に近似した形状又は湾曲した弧状体ではなく、六角形等の多角形の一辺を切り欠いたようなものであっても、本発明ではＣ字状体と定義される。以下、後述する各変形例においても同様とする。
【００２９】
挟掴部２は、図１（ｂ）で示す通り、１対の挿入部側外嵌部２２と掛止部側外嵌部２１とから構成され、全体Ｕ字状体を成し、前記掛け具本体１の先端部１２ａの形状を維持しつつ、段差が生じないように掛け具本体１に外嵌することにより、前記自由状態でＣ字状体の掛け具本体１をＵ字状体に弾性変形させる。すなわち、挟掴部２を掛け具本体１に外嵌することにより、挿入部１２の曲率は、低減させる方向に、掛止部１１の曲率は、増大させる方向に、弾性変形させることができる。結果、図１（ａ）の前記自由状態の掛け具本体１は、挿入部１２の径方向の長さＤ１であるのに対して、図１（ｂ）の挟掴部２を外嵌した後の掛け具本体１は、挿入部１２の径方向の長さが、前記弾性変形によって、Ｄ１より短いＤ２になっている。従って、挟掴部２は、掛止部１１、挿入部１２の弾性力に抗して、外嵌することによって、前記Ｕ字状体に従動させる強度を備える。例えば、掛け具本体１と挟掴部２とで強度の異なる素材を使用してもよいが、同一素材でも、厚みを変えることによって強度に違いを持たせるようにしてもよい。例えば、挟掴部２を前記の通り、掛け具本体１と同じクロムモリブデン鋼にしてもよく、その厚みを変えて強度を付与するようにしてもよい。
【００３０】
また、掛け具本体１は、前記Ｕ字状に弾性変形するに従って、挿入部１２が、湾曲状態から起立状態に変化し、先端部１２ａは、前記被取付面に対して相対する向きに回動する。
【００３１】
先端部１２ａは、挟掴部２の外嵌後であっても、露出させるようにし、かつ、前記外嵌状態において、先端部１２ａから、挟掴部２の開放端の先端部２２ａに向かって、テーパー状になるように、先端部２２ａを形成すればよい。
【００３２】
なお、挟掴部２のＵ字状体とは、本発明に係る機能を発揮し、本発明の主旨から逸脱するものでない限り、前記条件を満たすすべての形状を包含する。従って、正確にＵ字状を成さない形状、すなわち、例えば、Ｖ字状に近似した形状、又はＣ字状に近似した形状であっても、前記形状の条件を満たす限り、本発明ではＵ字状体と定義される。以下、後述する各変形例においても同様とする。
【００３３】
図２は、掛け具本体１を被取付面の例として壁Ｗに取り付けた状態を示した図である。図２からも明らかなように、本発明に係る掛け具の掛止部１１は、半円のリング状を成し、当該半円の開放端側は、壁Ｗによって閉鎖されているため、掛止部１１と壁Ｗによって形成された半円形の空間を利用して、物を掛けるという構造を有する。
【００３４】
図２（ａ）は、挟掴部２を外嵌して、壁Ｗに挿入した状態を示す上断面図である。図１で説明したように、挟掴部２は、掛け具本体１の先端部１２ａを露出させるようにしており、かつ、先端部１２ａの突先を壁Ｗの壁面に相対させ、さらに、挿入部１２を前記壁面に対して垂直方向に起立状態にさせるため、挿入部１２は、スムーズに壁面に挿入される。従って、挟掴部２の第１の機能は、掛け具本体１を被取付面にスムーズに挿入するために、掛け具本体１の形状を矯正することにある。
【００３５】
挿入部１２の先端部１２ａから挿入部側外嵌部２２の先端部２２ａにかけてテーパー状に段差なく先端が形成されているため、挿入部１２の終端（掛止部１１との境界部）までの挿入はスムーズに行うことができる。このとき、壁Ｗから壁内に向かって、挿入部１２と挿入部側外嵌部２２の短手幅を合算した巾に略該当する挿入空間Ｈが形成される。
【００３６】
前記状態で、挟掴部２のみを抜脱すると、挿入空間Ｈは、挿入部側外嵌部２２の幅に相当する間隙が形成されるが、挿入部１２は、挟掴部２による弾性変形の規制から解放されるため、前記挿入空間Ｈ内で弾性復元し、元のＣ字状体に戻ろうとする。前記挿入空間Ｈ内に形成された間隙の幅よりも、弾性復元する幅の方が大きいため、前記弾性復元の途上で、挿入部１２の頂部近傍Ｃ１は、挿入空間Ｈに対して当接し、掛け具本体１は、壁Ｗに対して係止される。
【００３７】
なお、前記係止により固定挿入された掛け具本体１に対して、挿入空間Ｈに挟掴部２を再度挿入して、図２（ａ）の外嵌状態にすれば、壁Ｗから容易に抜き出すことができる。従って、挟掴部２の第２の機能は、掛け具本体１を容易に抜き出すための補助にある。
【００３８】
以上の通り、本発明に係る掛け具は、一時に、２カ所の挿入部１２を被取付面に挿入することができるため、取付が容易なうえ、前記弾性復元力を利用して、少なくとも、２点で係止するため、挿入部を固定挿入し、強固な抜け止めを実現することができる。一方、再度、挟掴部２を挿入することで、容易に抜き出すこともできるため、取付、抜き出しの作業も簡単に行うことができるという優れた効果を奏する。
【００３９】
図３は、図１の掛け具本体１の第１変形例を示した図である。掛け具本体３は、掛止部３１と挿入部３２とで、Ｃ字状体を形成する点は、図１の実施形態と同じである。ただし、第１変形例では、掛止部３１と挿入部３２の曲率を変えている点、挿入部３２の先端に返し部３３を設けた点、及び挟掴部４の先端部４２ａを平坦な直線状に形成した点、掛止部側外嵌部４１の長手方向の長さを１対の挿入部側外嵌部４２の離間幅よりも大きくさせている点、が、図１の実施形態と異なる。以下、これらの相違点について説明する。なお、図３では、これらの相違点をすべて備えたものを記載したが、これらの相違点は、図１の実施形態に対して、各々別個に設けられる形態であってもよい。
【００４０】
図３の（ａ）は、挟掴部４を掛け具本体３に外嵌する前の上面図である。返し部３３は、突先３３ａから挿入部３２の長手方向掛止部３１側に向かって漸次挿入部３２の径方向外側に張出傾斜した斜辺３３ｂと、所定の位置で斜辺３３ｂを挿入部３２の径方向内側に向かって屈曲させることにより形成された底辺３３ｃとから成る三角形を形成する。
【００４１】
また、挿入部３２よりも、掛止部３１の方が湾曲の度合いが大きい。すなわち、挿入部３２を構成する弧状体の曲率よりも、掛止部３１の曲率の方が大きい。このように曲率を変えることで、図３（ｂ）に示す通り、挟掴部４を外嵌したときのＵ字状体への変形が、挟掴部４の形状に密着した形に弾性変形しやすくなる。
【００４２】
挿入部側外嵌部４２の先端部４２ａは、平坦な直線状に形成されている。この先端部４２ａの長さは、返し部３３の底辺３３ｃと同じ長さである。従って、図３（ｂ）で示す通り、挟掴部４を外嵌したときに、先端部４２ａは、返し部３３の底辺と挿入部３２とから形成された段部に密着嵌入され、外嵌状態の外形上、返し部３３の突先３３ａ、斜辺３２ｂから挿入部側外嵌部４２の外側長手方向にかけて段差のない面一の平滑面が形成される。
【００４３】
掛止部側外嵌部４１の端部４１ａは、１対の挿入部側外嵌部４２の径方向外側に向かって突出している。掛止部側外嵌部４１の底辺側は、端部４１ａが前記突出するように、掛止部３１よりも小さい曲率で湾曲しており、端部４１ａは、挿入部３２と掛止部３１との境界線（図示せず）の延長線上に一致する略平坦な平面に形成されている。
【００４４】
図４は、変形例１を壁Ｗに挿入した状態を示した上断面図である。図４（ａ）で示す通り、掛け具本体３に挟掴部４を外嵌した状態で壁Ｗに挿入すると、図１の実施形態同様、挿入部３２及び挿入部側外嵌部４２の短手幅を合算した幅に略該当する挿入空間Ｈが形成される。なお、返し部３３は、前記した通り、挿入側外嵌部４２とともに、平滑面が形成されているため、スムーズな挿入が可能となる。また、掛止部側外嵌部４１の端部４１ａは、壁面Ｗと略水平方向に平面が形成されているため、挿入部３２と掛止部３１との境界線上で前記挿入を抑止するストッパの役割を果たす。すなわち、前記挿入に際し、掛止部３１が壁面Ｗ内部に入らないように挿入規制をする。
【００４５】
一方、挟掴部４を抜脱すると、図４（ｂ）で示す通り、挿入部側外嵌部４２の短手幅に相当する径の間隙が形成され、図１の実施形態同様、挿入部３２の弾性復元により、挿入部１２の頂部近傍Ｃ２は、挿入空間Ｈに対して当接する。さらに、変形例１では、返し部３３も挿入空間Ｈに当接する。従って、変形例１では、挿入部１２が、頂部近傍Ｃ２の２点及び返し部３３のＣ３の２点の合計４点で壁Ｗに係止されるため、より強固な抜け止め効果が期待できる。一方、図１の実施形態同様、再度、挟掴部４を挿入することにより、掛け具本体３を容易に抜き出すこともできる。
【００４６】
図５は、図１の掛け具本体１又は図３の掛け具本体３の変形例２を示した図である。変形例２は、図５（ａ）の正面図で示す通り、壁面Ｗに対して、２つの掛け具本体５及び７の掛止部５１及び７１を直角に交差するように、重畳的に取付けたものである。相互に交差する部分で荷重がかかるように関わらせて取り付ければ、掛止部５１又は掛止部７１に物を掛けた場合の荷重は、各々の挿入部（図示せず）の４点に分散され、かつ、荷重方向が掛止部５１と掛止部７１で異なるため、相互に支持力を補完し合い、強固な抜け止め効果が得られる。
【００４７】
変形例２の取付方法では、後発的に取り付ける掛け具本体（変形例２では掛け具本体５）は、先に取り付けた掛け具本体（変形例２では掛け具本体７）の上に取り付けるため、掛止部７１の短手方向の厚さだけ、掛止部５１が浮くことになり、挿入部の挿入が十分になされないことになる。そこで、変形例２のような取付方法の場合は、図５（ｂ）の側面図で示す通り、先に取り付けた掛け具本体７の掛止部７１の頂部から径方向内側に向かって掛け具本体５の掛止部５１の短手幅で凹陥部７１ａを形成すればよい。このような構成にすることで、掛止部５１は、浮くことなく、掛止部７１と同じ高さで壁面Ｗに取り付けることができる。
【００４８】
図６は、図３の挟掴部４の変形例１を示した図である。なお、図６では、図３の実施形態の掛け具で説明しているが、図１の掛け具の挟掴部２についても、本変形例１は適用可能である。
【００４９】
挟掴部４の変形例１は、掛止部側外嵌部４１内部に、掛け具本体３を壁Ｗに押し入れる押入部４１ｂを設けた点に特徴がある。押入部４１ｂは、飛び移り座屈材（ｓｎａｐ−ｔｈｒｏｕｇｈ  ｂｕｃｋｌｉｎｇ  ｍａｔｅｒｉａｌ）を使用する。飛び移り座屈材は、初期状態において、所定方向（図６（ａ）では、掛止部側外嵌部４１と同一方向）に湾曲して安定状態となっている弾性体であり、これに湾曲方向と逆方向（図６（ａ）では、壁Ｗの方向）に徐々に加重を増大させていくと、所定の閾値を越えたところで、前記加重によって蓄積された弾性エネルギーが瞬発的に開放され、前記初期状態から１８０度回転した位置に瞬時に反転し、かかる反転した形状で安定状態となる性質を有するものである。なお、飛び移り座屈材は、上記性質を有するものでれば、特に素材が限定せず、熱処理ばね鋼などであればよい。
【００５０】
図６（ａ）で、押入部４１ｂを内包した掛止部側外嵌部４１の最下点（頂部）が属するラインを接線Ｐ１とすると、押入部４１ｂの飛び移り座屈材の反転方向に加える加重を徐々に増大させることにより、ある時点で図６（ｂ）に示すように、飛び移り座屈材が瞬時に反転し、突先３３ａから返し部３３が壁Ｗ内に付勢挿入される。これは、前記ラインが、接線Ｐ１から接線Ｐ２に移動し、飛び移り座屈材の反転振幅Ｒの長さだけ、挿入部３が壁Ｗに瞬時に押し込まれたことを示す。なお、飛び移り座屈材の係る効果を発揮させるために、本実施の形態では、飛び移り座屈材の長手方向中央部が掛止部側外嵌部４１に固定されている。
【００５１】
従来のフック等の掛け具の場合、釘やネジなど、被取付面への取付の際、挿位置決めをしても、釘打ち、螺入時にズレなどが生じるおそれがあるが、図６のような飛び移り座屈材を使用した押入部４１ａを設けることにより、挿入部３の突先３３ａを壁Ｗの所望位置に当接させて、前記反転をさせることにより、瞬時にかつ正確に付勢挿入を行うことができる。
【００５２】
なお、図６では、反転振幅Ｒの長さは、返し部３３が壁Ｗの内部に入る長さに略一致しているが、飛び移り座屈材の振幅距離は任意に選択可能であり、図６のものに限定する趣旨ではない。
【００５３】
図７は、図３の挟掴部４の変形例２を示した図である。なお、図７では、図６の実施形態の掛け具で説明しているが、図１、図３の掛け具の挟掴部２、挟掴部４についても、本変形例２は適用可能である。
【００５４】
図７の変形例２は、掛止部側外嵌部４１に、掛け具本体３の掛止部３１の一部を固定嵌入する溝部４１ｃを設けた点に特徴がある。図７（ａ）のＡ−Ａ‘線の側断面図（図７（ｂ））で示す通り、本変形例２では、挟掴部４の掛止部側外嵌部４１が、挿入側外嵌部４２から連続してＵ字状体を形成する閉鎖端側と、飛び移り座屈材を内包した押入部４１ｂと別体で構成されている。ただし、溝部４１ｃは、この形態に限定する趣旨ではない。例えば、挿入側外嵌部４２と押入部４１ｂと一体とし、押入部４１ｂに長手方向中央部に所定幅のスリットを設け、掛止部３１の一部を固定嵌入する形態でもよい。
【００５５】
図７のように、掛止部３１を固定嵌入する溝部４１ｃを設けることにより、前記飛び移り座屈材により瞬発的な挿入をより確実に行うことができる。溝部４１ｃは、例えば、硬質ゴムで形成すればよい。
【００５６】
図８は、図３の挟掴部４の変形例３を示した図である。なお、図８では、図７の実施形態の掛け具で説明しているが、図１、図３、図６の掛け具の挟掴部２、挟掴部４についても、本変形例３は適用可能である。
【００５７】
図８の変形例３は、押入部４１ｂの両端に、飛び移り座屈材に管状の中空部４１ｄを設け、中空部４１ｄは、内部で摺動可能な棒状の押上部４１ｅを収納する。図８（ａ）で示す通り、押上部４１ｅは、中空部４１ｄの内部を摺動して押入部４１ｂの両端下方から掛け具本体３を挿入する方向に押し上げる。押上部４１ｅの押上力が所定の加重を越えると、図８（ｂ）に示す通り、押入部４１ｂの飛び移り座屈材が反転し、掛け具本体３を挿入方向に付勢挿入する。なお、押上部４１ｅは、そのまま双方を把持して挿入方向に押し入れる補助ロッドとしても機能する。  
【符号の説明】
【００５８】
１、３                    掛け具本体
２、４                    挟掴部
１１、３１、５１、７１    掛止部
１２、３２                挿入部
２１、４１                掛止部側外嵌部
２２、４２                挿入部側外嵌部
３３                      返し部
４１ｂ                    押入部
４１ｃ                    溝部
４１ｄ                    中空部
４１ｅ                    押上部  
【図１】
0006550676.tif 000002
【図２】
0006550676.tif 000003
【図３】
0006550676.tif 000004
【図４】
0006550676.tif 000005
【図５】
0006550676.tif 000006
【図６】
0006550676.tif 000007
【図７】
0006550676.tif 000008
【図８】
0006550676.tif 000009